(57)【特許請求の範囲】
【請求項１】
スロットルアクチュエータとブレーキアクチュエータを備え、所与の制駆動力指令値に応じて車両の制駆動力または車速を制御する制駆動力制御装置であって、
制駆動力指令値に応じたエンジントルク指令値を演算するエンジントルク指令値演算手段と、
該エンジントルク指令値とエンジン回転数から前記スロットルアクチュエータのスロットル開度指令値を演算するスロットル開度指令値演算手段と、
該スロットル開度指令値の下限値を車両が低速になるに従って大きくなるように演算するスロットル開度下限値演算手段と、
該スロットル開度下限値演算手段からの下限値未満とならないようにスロットル開度を制限するスロットル開度制限手段と、
前記スロットル開度制限手段によりスロットル開度が制限されたときには、そのスロットル開度の下限値が大きいほど、ブレーキアクチュエータ操作量が増加するようにブレーキアクチュエータ操作量を演算する制動力演算手段と、
を備えたことを特徴とする制駆動力制御装置。
【請求項２】
前記スロットル開度下限値演算手段は、
車速の他に、路面勾配、車間距離、車間相対速度、燃料カット作動条件及びスロットル開度のうち、少なくとも一つを含んでスロットル開度下限値を演算することを特徴とする請求項１記載の制駆動力制御装置。
【請求項３】
走行路面の勾配を推定する勾配推定手段を有し、
前記スロットル開度下限値演算手段は、該勾配推定手段の勾配推定結果に応じた駆動力を保証するように前記スロットル開度下限値を演算することを特徴とする請求項１又は請求項２のいずれかに記載の制駆動力制御装置。
【請求項４】
前記スロットル開度下限値演算手段は、
車速が所定値以上の場合には、前記スロットル開度下限値を優先的に零と演算することを特徴とする請求項３記載の制駆動力制御装置。
【発明の詳細な説明】
【０００１】
【発明の属する技術分野】
本発明は、車間距離や車速、或いは制駆動力を制御する走行制御装置の駆動輪軸トルクを制御する制駆動力制御装置に関する。
【０００２】
【従来の技術】
従来、先行車までの車間距離を検出し、その車間距離が適正な値となるように車速あるいは制駆動力を制御する制駆動力制御装置が知られている。
【０００３】
従来、特開平６−２３４３３３号公報に記載の「自動車の走行制御装置」にあるように、車間距離を制御すべく車速を目標値に一致させるためにスロットルアクチュエータとブレーキアクチュエータを選択的に作動させるものが報告されている。この例では、車速を目標値に追従させるために、スロットルアクチュエータからブレーキアクチュエータの動作切換えは、車速が車速目標値を超えた時に行い、ブレーキアクチュエータからスロットルアクチュエータヘの切換えは、制御定数Ａを用いたＰＩＤ車速制御によるスロットル操作量計算値が、制御定数Ｂを用いたＰＩＤ車速制御によるブレーキアクチュエータ操作量計算値を超えた時に行なっている。
【０００４】
【発明が解決しょうとする課題】
しかしながら、従来の制駆動力制御装置では、車速を制御する独立した２つのコントローラ、すなわちスロットル制御用コントローラとブレーキ制御用コントローラの操作量を切り換える構成となっており、スロットルアクチュエータとブレーキアクチュエータとの切換え点において、車速により両者の応答特性に差が生ずることにより、制駆動力が不連続となるため、車両に加わる前後Ｇの変化が大きくなり、乗り心地が悪化するといった問題があった。
【０００５】
また、低速度域まで車速を制御する場合には、エンジンは通常、低回転域でムダ時間や吸気系の遅れが大きくなり、スロットル開度に対するエンジントルクの遅れが大きくなるため、全車速域に渡って同等のロバスト制御性能を保証できるような車速制御系の設計は困難であった。
【０００６】
本発明は、上記に鑑みてなされたもので、その目的として、車両の乗り心地の向上と、全車速域で応答性に優れた制駆動力制御を実現することができる制駆動力制御装置を提供することにある。
【０００７】
【課題を解決するための手段】
請求項１記載の発明は、上記課題を解決するため、スロットルアクチュエータとブレーキアクチュエータを備え、所与の制駆動力指令値に応じて車両の制駆動力または車速を制御する制駆動力制御装置であって、制駆動力指令値に応じたエンジントルク指令値を演算するエンジントルク指令値演算手段と、該エンジントルク指令値とエンジン回転数から前記スロットルアクチュエータのスロットル開度指令値を演算するスロットル開度指令値演算手段と、該スロットル開度指令値の下限値を車両が低速になるに従って大きくなるように演算するスロットル開度下限値演算手段と、該スロットル開度下限値演算手段からの下限値未満とならないようにスロットル開度を制限するスロットル開度制限手段と、前記スロットル開度制限手段によりスロットル開度が制限されたときには、そのスロットル開度の下限値が大きいほど、ブレーキアクチュエータ操作量が増加するようにブレーキアクチュエータ操作量を演算する制動力演算手段とを備えたことをを要旨とする。
【０００８】
請求項２記載の発明は、上記課題を解決するため、前記スロットル開度下限値演算手段は、車速の他に、路面勾配、車間距離、車間相対速度、燃料カット作動条件及びスロットル開度のうち、少なくとも一つを含んでスロットル開度下限値を演算することを要旨とする。
【０００９】
請求項３記載の発明は、上記課題を解決するため、走行路面の勾配を推定する勾配推定手段を有し、前記スロットル開度下限値演算手段は、該勾配推定手段の勾配推定結果に応じた駆動力を保証するように前記スロットル開度下限値を演算することを要旨とする。
【００１０】
請求項４記載の発明は、上記課題を解決するため、前記スロットル開度下限値演算手段は、車速が所定値以上の場合には、前記スロットル開度下限値を優先的に零と演算することを要旨とする。
【００１４】
【発明の効果】
請求項１記載の本発明によれば、制駆動力指令値に応じたエンジントルク指令値を演算し、該エンジントルク指令値とエンジン回転数からスロットルアクチュエータのスロットル開度指令値を演算する。次に、該スロットル開度指令値の下限値を車両が低速となるに従って大きくなるように演算し、この下限値未満とならないようにスロットル開度を制限する。次に、該スロットル開度指令値の下限値未満とならないようにスロットル開度が制限されたときには、そのスロットル開度の下限値が大きいほど、ブレーキアクチュエータ操作量が増加するようにブレーキアクチュエータ操作量を演算するようにしたので、車両の乗り心地の向上と、全車速域で応答性に優れた制駆動力制御を実現することができる。
【００１５】
請求項２記載の本発明によれば、車速の他に、路面勾配、車間距離、車間相対速度、燃料カット作動条件及びスロットル開度のうち、少なくとも一つを含んでスロットル開度下限値を演算するので、スロットル開度の下限値を、車両が置かれている多様な環境条件に適合させて最適に設定することができる。
【００１６】
請求項３記載の本発明によれば、走行路面の勾配を推定しておき、勾配推定結果に応じた駆動力を保証するようにスロットル開度下限値を演算するようにしたので、坂道発進で発進する際に、駆動軸トルク応答性が向上すると共に、ブレーキが作用することで、上り坂で後退し難いように自動インチングすることができる。
【００１７】
請求項４記載の本発明によれば、車速が所定値以上の場合には、スロットル開度下限値を優先的に零と演算するようにしているので、確実に燃料カット作動条件を発生させて、燃費を向上させることができる。
【００２１】
【発明の実施の形態】
以下、本発明の実施の形態を図面を参照して説明する。
（第１の実施の形態）
図１は、本発明の第１の実施の形態に係る制駆動力制御装置の構成を説明するためのブロック図である。
【００２２】
図１において、車速制御演算部１は車速を指令値に応じた値とするための制駆動力または制駆動トルク指令値を演算する。本発明の制駆動力制御装置の特徴である駆動軸トルク制御演算部３は、制駆動トルクを指令値に応じた値とするためのスロットル開度指令値とブレーキ液圧指令値を演算する。スロットル開度サーボ系５は、スロットル開度を指令値に応じた値とする。エンジン７は、指令に応じた駆動力を発生する。オートマチックトランスミッション９は、駆動力を後段に伝達する。デファレンシャルギヤ１１は、駆動力による回転速度を変速する。ブレーキ１７は、制動力を発生する。車体１３は、制駆動力を受けて移動速度を加減速する。ブレーキ液圧サーボ系１５は、ブレーキ液圧を指令値に応じた値とする。
【００２３】
図２は、本発明の第１と第２の実施の形態に係る制駆動力制御装置の駆動軸トルク制御系すなわち駆動軸トルク制御演算部３の詳細図である。
図２において、エンジントルク指令値演算部２１は、駆動軸トルク指令値から、オートマチックトランスミッション９の状態や、ギヤ比などを考慮してエンジントルク指令値を演算する。スロットル開度指令値演算部２３は、エンジントルク指令値に応じた第１のスロットル開度指令値を演算する。スロットル開度下限値演算部２５は、外部から入力される走行状態信号（すなわち、車速，勾配，フューエルカット等）からスロットル開度の下限値を演算する。スロットル開度リミッタ２７は、スロットル開度下限値に応じて、スロットル開度指令値に制限を加え、スロットルサーボ系に与えるスロットル開度指令値を演算する。
【００２４】
エンジントルク下限値演算部２９は、スロットル開度下限値演算部からのスロットル下限値信号とエンジン回転数とから、エンジントルクを演算する。制駆動軸トルク補正演算部２１１は、スロットル開度が下限値である時、エンジントルクによって発生する駆動軸トルクを演算する。制動力演算部２１３は、駆動軸トルク指令値と制駆動軸トルク補正値を入力し、ブレーキ液圧サーボ系に入力するブレーキ操作量を演算する。
【００２５】
次に、本実施の形態に係る制駆動力制御装置の動作を説明する。
図３は、本発明の第１の実施の形態に係る制駆動力制御装置における車速制御系の機能要素の構成を説明するためのブロック図である。
車速制御系は、本発明の第１の実施の形態に係る制駆動力制御装置を車速制御の面から説明するための系であり、機能要素としては、車速制御部１と後述する駆動軸トルク制御系とから構成される。
【００２６】
図３において、車速制御部１は、車速制御演算部１の詳細を示すものであり、後述する車間距離制御部からの車速指令値に実車速を一致させる。但し、後述する駆動軸トルク制御系の伝達遅れは無視できるものとする。
走行抵抗推定部３１は、駆動軸トルク指令値Ｔwrと車速Ｖspとから、下記の（１）式を用いて走行抵抗の駆動軸トルク換算値Ｔdhを推定し、フイードバックすることで勾配や空気抵抗、及び転がり抵抗等の影響を排除する。
【００２７】
【数１】
0003780689.tif 000002
但し、（１）式において、Ｍvは車重、Ｒwはタイヤ半径、Ｈ（ｓ）は定常ゲイン＝１のローパスフィルタ）である。
走行抵抗推定によって、制御系への外乱が排除されたとすると、車速指令値から実車速までの伝達特性は下記の（２）式となる。
【００２８】
【数２】
0003780689.tif 000003
（２）式から、定数ＫSPを適当な値に設定することで、車速制御系の応答特性を所望の応答特性に一致させることができる。
【００２９】
次に、本発明の制駆動力制御装置の特徴である駆動軸トルク制御系の作用について説明する。駆動軸トルク制御系は、駆動軸トルク制御演算部３を構成要素として含み、車速制御部１で演算された駆動軸トルクを実現するためのスロットル開度指令値と、ブレーキ液圧指令値を演算する。
【００３０】
次に、本発明の制駆動力制御装置を、その全ての機能を制駆動系として纏め、該制駆動系を機能要素に分解してその動作を説明する。
図４は、本発明の第１の実施の形態に係る制駆動力制御装置における制駆動系の機能要素を説明するためのブロック図である。
【００３１】
トルクコンバータのトルク増幅率をＲt、変速機ギヤ比をＲat、デファレンシャルギヤ比をＲdef、エンジンイナーシャをＪe、エンジン回転数をＮeとすると、駆動軸トルクＴwとエンジントルクＴeとの関係は、下記の（３）式となる。
【００３２】
【数３】
0003780689.tif 000004
従って、駆動軸トルク指令値Ｔwrに対して、下記の（４）式でエンジントルク指令値Ｔerを計算し、このエンジントルク指令値Ｔerを発生させるスロットル開度θlをエンジンマップを用いて算出し、スロットル開度θlが、下限値θL以上となるか、否かを判断する。
【００３３】
【数４】
0003780689.tif 000005
スロットル開度θlが、下限値θL以上であれば、ブレーキを使わずにエンジントルクのみで駆動軸トルク指令値通りのトルクを実現できる。スロットル開度θlが、下限値θL以下となれば、スロットル開度を下限値θLとし、このときエンジンによって出力される駆動軸トルクを考慮して駆動軸トルクを指令値に一致させるためのブレーキ操作量を演算する。
【００３４】
以上により、エンジントルク指令値Ｔerと、ブレーキトルク指令値Ｔbrの分配制御則は、下記の（５）〜（９）式を含む説明で与えられる。
先ず、スロットル開度指令値θl≧θLのときは、下記の（５），（６）式が成立する。
【００３５】
【数５】
0003780689.tif 000006
【数６】
0003780689.tif 000007
従って、ホイールトルク指令値Ｔwrに対して下記（７）式に記すエンジントルクを発生させればよい。
【００３６】
【数７】
0003780689.tif 000008
また、（５）式から、ブレーキ操作量は零となる。
次に、スロットル開度指令値θl＜θLのとき、
スロットル開度がθLのときのエンジントルクをＴelimとすると、（３）式は下記の（８）式で置き換えられる。
【００３７】
【数８】
0003780689.tif 000009
従って、ホイールトルク指令値Ｔwrに対して下記（９）式のブレーキトルクを発生させればよい。
【数９】
0003780689.tif 000010
ブレーキシリンダー面積をＡb、ロータ有効半径をＲb、パッド摩擦係数をμbとすると、ブレーキトルク指令値Ｔbrに対して、ブレーキ操作量である液圧指令値は下記の（１０）式となる。
【００３８】
【数１０】
0003780689.tif 000011
ここで、以上の動作を図２を参照して説明する。
まず、エンジントルク指令値演算部２１では、駆動軸トルク指令値Ｔrと変速機ギヤ比とトルコンのトルク比Ｒｔを入力し、（４）式を用いてエンジントルク指令値Ｔerを演算する。スロットル開度演算部２３では、エンジントルク指令値Ｔerとエンジン回転数Ｎeとから、図５に示すようなエンジンマップを用いてエンジントルク指令値Ｔerを出力させるためのスロットル開度指令値θlを演算する。スロットル開度リミッタ２７は、スロットル開度下限値演算部２５で演算されるスロットル開度下限値θLとθlを比較し、スロットル開度指令値θlがθLより大きければθlをスロットル開度指令値θrとし、スロットル開度指令値θlがθLより小さいときはθLをスロットル開度指令値θrとする。
【００３９】
次に、エンジントルク下限値演算部２９は、エンジン回転数とスロットル開度下限値θLを入力し、図６に示すようなエンジントルクのテーブルマップを用いてエンジントルクＴelimを演算する。
制駆動力補正値演算部２１１では、（９）式の右辺第２項を演算する。制動力演算部２１３では、（９）式の右辺第１項と第２項の加算を行い、（１０）式に基づいてブレーキ液圧指令値Ｐbrを演算する。
【００４０】
ここで、図７，図８に、本実施の形態に係る制駆動力制御装置の駆動軸トルク制御の効果を異なる２条件下で比較して示すための計算機シミュレーション結果を示す。
図７は、スロットル開度の下限値が零の場合の計算機シミュレーション結果を示し、図８は、スロットル開度の下限値が零ではない場合の計算機シミュレーション結果を示す。図８では、スロットル開度が零にならない分、ブレーキの操作量が増加している。これらの結果から、どちらの場合も、指令値にほぼ一致した駆動軸トルクが得られており、スロットルとブレーキの切り替え時のトルク段差は殆ど見られない。また、スロットル開度の下限値を変化させても、その時のエンジントルクを加味してブレーキ操作量を演算するので、駆動軸トルクは指令値に一致していることがわかる。
【００４１】
ところが、一般に、エンジンは、回転数が低いときは、高いときに比べて応答性が悪化するため、高速走行時に比べ低速走行時の車速制御系の安定余裕が減少する。また、エンジンから駆動輪まで、トルクコンバータやギヤ伝達効率等の非線型要素が存在する等の理由により、全速度域で同等の車速制御性能を維持することが難しくなる。
一方、ブレーキは、車輪に直接作用するので遅れが少なく、エンジンと変速機による駆動系に比べて動特性変化は少ない。また、ブレーキ液圧制御系は、一般に、エンジンと変速機による駆動系の応答に比べ、比較的容易に高速応答ができる。
【００４２】
そこで、本発明では、低速時には、スロットル開度下限値を零以外の値とし、ブレーキ操作のみで駆動力を制御する状態を増やすことで、車速制御性能を向上させる構成とした。
【００４３】
例えば、図２で、スロットル開度下限値演算部２５に、車速Ｖspを入力し、下記の（１１）式を用いて、１５ｋｍ／ｈから１０ｋｍ／ｈで徐々に下限値θLを増加させθLMTに近づける。
【数１１】
0003780689.tif 000012
但し、（１１）式で、
Ｖsp≧１５ｋｍ／ｈのときは、ＶspL ＝１５ｋｍ／ｈ
Ｖsp≦１０ｋｍ／ｈのときは、ＶspL＝１０ｋｍ／ｈ
ｌＯ＜Ｖsp＜１５ｋｍ／ｈのときは、ＶspL＝Ｖsp
とする。
【００４４】
ここで、図９，図１０は、本実施の形態に係る制駆動力制御装置の低速時の駆動軸トルク制御の効果を異なる２条件下で比較して示すための計算機シミュレーション結果を示す。
図９，図１０に示すシミュレーション結果は、車速指令値を１０ｋｍ／ｈとし、時刻２０〜３０（ｓ）の間、勾配６％の上り坂を走行する場面を想定して行った。図９は、スロットル開度下限値を零とした場合であり、図１０は、スロットル開度下限値を２（ｄｅｇ）とした場合である。両者とも車速制御ゲインは同一の値とした。この結果から、図１０は図９に比較して、指令値に対する駆動軸トルクの応答性が向上するため、車速誤差が小さく抑えられており、車速制御性能が向上していることが分かる。
【００４５】
（第２の実施の形態）
図１１は、本発明の第２の実施の形態に係る制駆動力制御装置の構成を説明するためのブロック図である。
本実施の形態では、発進と停止を行う車間距離制御（インチング）に、本発明の制駆動力制御装置を適用する場合について説明する。勾配抵抗がクリ−プ力よりも大きい上り坂で坂道発進を行う場合に、ドライバーがブレーキを放してからアクセルを踏むまでの時間が遅いと車両が後退してしまう。自動インチングにおいても同様な現象が起こり得る。この現象を避けるため、駆動軸トルク換算した勾配抵抗を常に推定し、この推定値を発生するためのスロットル開度を演算し、この開度をスロットル開度下限値とする構成とした。
【００４６】
図１１において、車間距離指令値演算部１１１は、例えば、車速に応じた適正な車間距離指令値を生成する。車間距離測定部１１２は、車間距離計測部であり、レーダ等で車間距離を測定する。車間距離制御演算部１１３は、計測した車間距離を指令値に応じた値とするための車速指令値を演算する。勾配推定演算部１１５は、車速と駆動軸トルク指令値と、車両諸元値とから勾配を推定し、該推定値を駆動軸トルク制御演算部３の構成要素であるスロットル開度下限値演算部２５（図２に示す）へ入力する。車両停止判断部１１７は、車速指令値と車速計測値と車間距離誤差とから車両停止を判断し、車両が停止しているときにスロットル開度を零として、所定のブレーキ液圧を発生させるような信号をスロットル開度サーボ系５とブレーキ液圧サーボ系１５に入力する。
他の構成要素については、第１の実施の形態の構成要素と同様であるので省略する。
【００４７】
次に本実施の形態に係る制駆動力制御装置の動作を説明する。
先ず、車間距離制御演算部１１３について説明する。車間距離制御演算部１１３は、レーダー等によって測定された車間距離Ｌを車間距離指令値Ｌrに一致させるための車速指令値を演算する。車間距離指令値は、確保したい車間時間をＴとし、自車速をＶspとし、停止時の車間距離指令値をＬoffとすると、下記の（１２）式で導出することができる。
【００４８】
【数１２】
0003780689.tif 000013
図１２は、本発明の第２の実施の形態に係る制駆動力制御装置における車間距離制御系の構成を説明するためのブロック図である。
車間距離制御系は、本発明の第２の実施の形態に係る制駆動力制御装置を車間距離の面から説明するための系であり、車間距離制御部１１３を構成要素に含む。
【００４９】
図１２において、車間距離制御部１１３は、車間距離制御演算部１１３の詳細を示すものであり、今、車速制御系は、車速指令値Ｖsprに対する実車速Ｖspの応答が時定数τV（＝１／ω）の１次遅れ系で近似できるものとする。
【００５０】
この時の車間距離指令値Ｌrから実車間距離Ｌvまでの伝達特性は、下記の（１３）式となる。
【数１３】
0003780689.tif 000014
（１３）式から、車間距離制御系は、ＫVとＫLを適当な値に設定することにより、追従応答性を所望の応答特性に一致させることができる。
【００５１】
次に、勾配推定演算部１１５について説明する。勾配は（１）式と同様の手法で演算できる。但し、（１）式は、空気抵抗や、転がり抵抗等をすべて含んだ形で推定するため、推定値からこれらの抵抗を差し引く必要がある。空気抵抗Ｆaは下記の（１４）式、転がり抵抗Ｆrは下記の（１５）式で計算する。
【００５２】
【数１４】
0003780689.tif 000015
【数１５】
0003780689.tif 000016
但し、μaは空気抵抗係数、Ｓvは前面投影面積、μrは転がり抵抗係数、Ｍvは車重、ｇは重力加速度である。従って、勾配抵抗の駆動軸トルク換算値Ｔiは下記の（１６）式となる。
【００５３】
【数１６】
0003780689.tif 000017
また、走行抵抗推定演算は、車両が停止し、次に説明する車両停止判断部１１７が動作すると、正確な走行抵抗ができなくなるため、停止中は、停止直前までのＴiの平均値を勾配抵抗の駆動軸トルク換算値Ｔiとして用いる。
【００５４】
次に、車両停止判断部１１７について説明する。車両停止判断部１１７は、車両が停止したことを判断し、スロットル開度を零とし、所定のブレーキ液圧を発生させる指令信号をスロットル開度サーボ系とブレーキ液圧サーボ系に与える。本実施の形態では、下記の（１７），（１８），（１９）式に示す条件がすべて満たされた場合に車両停止と判断した。
【００５５】
【数１７】
0003780689.tif 000018
【数１８】
0003780689.tif 000019
【数１９】
0003780689.tif 000020
但し、Ｖ１，Ｖ２、Ｌ１は定数である。
【００５６】
次に、本実施の形態における駆動軸トルク制御演算部３の構成要素であるスロットル開度下限値演算部２５の動作を説明する。
スロットル開度下限値演算部２５は、勾配推定演算部１１５からの勾配抵抗の駆動軸トルク換算値Ｔiを入力し、駆動軸トルク換算値Ｔiを出力すべくスロットル開度θLを演算する。
【００５７】
今、上り坂で、スロットルを制御することで停止することを想定する。このときエンジン回転数の変動は小さいと仮定し、これを無視すると、駆動軸トルク換算値Ｔiを出力するためのエンジントルクＴeiは下記の（２０）式で計算できる。
【００５８】
【数２０】
0003780689.tif 000021
次に、エンジントルクＴeiを出力するためのスロットル開度を、図５に示すエンジンマップを参照して求め、これを下限値θLMTとする。さらに、本実施の形態では、所定の速度以下でスロットル開度下限値を設定するため、第１の実施の形態と同様に、下記の（２１）式を用いて、１０ｋｍ／ｈから５ｋｍ／ｈで徐々に下限値θLを増加させθLMTに近づける。
【００５９】
【数２１】
0003780689.tif 000022
但し、（２１）式で、
0003780689.tif 000023
とする。
他の構成要素の動作については、第１の実施の形態の構成要素と同様であるので省略する。
【００６０】
図１３、図１４に、本実施の形態に係る制駆動力制御装置の効果を比較して示すための計算機シミュレーション結果を示す。
図１３は、スロットル開度下限値を零に固定した場合であり、図１４は、本
実施の形態を適用した場合である。
図１３では、停止から発進する場合に車速がマイナス方向になっており、一瞬後退してから前進している。また、この時、車速制御誤差が大きくなっている。一方、本発明の方式を適用した図１４では、前述したようにトルク応答性が向上することに加え、ブレーキによる制動トルクは、車両が後退するときには正のトルクとなり、より後退し難くなるため、車速制御誤差が比較的小さくなる。
【００６１】
また、図１４で、時刻１０（ｓ）後半から３０（ｓ）前半までブレーキ液圧が所定値となっているのは、車両停止判断部１１７が動作しているためである。
【００６２】
（第３の実施の形態）
従来、エンジン回転数がある程度以上高い場合にスロットル開度が全閉となったとき、燃費向上のためにエンジンヘの燃料を遮断する（以下、「フューエルカット」と称する）装置が知られている。
フューエルカット装置と定速走行装置あるいは車間距離制御装置を具備する車両において、下り坂を走行する場合や、先行車に追従するために減速する場合等において、スロットルバルブが全閉付近まで戻される場合がある。このような場合、フューエルカットにより駆動トルクがステップ状に急減し、車速が目標車速より下がるため、車速制御装置によってスロットルバルブが開くように制御される。すると、再び燃料が供給され駆動トルクがステップ状に増加し、車速が急増するのでスロットルバルブが閉じるように制御され、再びフューエルカットにより車速が急減する。このようにフューエルカットのオンオフが繰り返し生じることでエンジントルクが変動し、乗り心地を悪化させてしまう。この現象を避けるため、本実施の形態では、スロットル開度以外の条件が、フューエルカットを行う条件となった場合に、スロットル開度下限値を零以外の小さな値とし、フューエルカットが行われるのを防止する。次に、駆動軸トルク指令値が、フューエルカットによる制動トルク以上の値となる場合にフューエルカットを作動させ、ブレーキを制御して、フューエルカット作動によるトルク段差をキャンセルする構成とした。
【００６３】
図１５は、本発明の第３の実施の形態に係る制駆動力制御装置の機能要素の構成を説明するためのブロック図である。図１６は、駆動軸トルク制御演算部３の詳細図である。図１７は、本発明の第３の実施の形態に係る制駆動力制御装置のフューエルカット作動時と非作動時のそれぞれについて、エンジントルクを求めるためのテーブルマップである。図１８は、本発明の第３の実施の形態に係る制駆動力制御装置のフューエルカット作動時と非作動時のそれぞれに対応してエンジントルクを求めるテーブルマップを切り替えるための切り替え部である。
【００６４】
図１５，図１６において、フューエルカット成立判断部１５３は、スロットル開度以外の条件がフューエルカットを行う条件となったかどうかを判断し、スロットル開度下限値演算部２５へ信号を渡す。フューエルカットオンオフ判断部１５１は、駆動紬トルク指令値とフューエルカットによる駆動軸トルクとを比較して、フューエルカット作動と非作動の判断を行い、スロットル開度下限値演算部２５に信号を渡す。エンジントルク下限値演算部１６９はフューエルカット時のエンジンマップを含み、フューエルカットが作動すると、図１８に示すように、スイッチ切り替え部８１の作動により、エンジントルクがステップ状に変化するため、図１９に示す演算規則に従って、フューエルカット成立判断部１５３からの信号と、スロットル開度下限値信号を入力し、フューエルカット条件が成立すると、エンジンマップを切り替えてエンジン出力トルクを求める。
他の構成要素については、第１の実施の形態の構成要素と同様であるので省略する。
【００６５】
次に、本実施の形態に係る制駆動力制御装置の動作を説明する。
フューエルカットが作動すると、図１７に示すようにエンジントルクはステップ的に減少するため、フューエルカット作動と非作動時の間の駆動軸トルクを出力することができなくなる。従って、フューエルカットによる駆動軸トルクＴwfcを越える駆動軸トルク指令値Ｔwrが入力されるまでは、スロットル開度下限値を零以外の小さな値αに設定することでフューエルカットを非作動とし、ブレーキで制動トルクを発生させる。Ｔwfc以上の駆動軸トルク指令値が入力されたときには、スロットル開度下限値を零とし、フューエルカットを作動させると同時に、フューエルカットによる駆動軸トルクに相当するブレーキ液圧を下げる。  以下に各構成要素毎の動作を説明する。
【００６６】
フューエルカット成立判断部１５３は、スロットル開度以外の条件が、フューエルカット作動条件となったか否かを判断する。フューエルカット作動条件となれば、ＦＣＡ＝１とし、さもなければ、ＦＣＡ＝０とする。
フューエルカットオンオフ判断部１５１は、フューエルカットされた場合の駆動軸トルクＴwfcを下記の（２２）式で演算し、駆動軸トルク指令値Ｔwrとの比較を行う。
【００６７】
【数２２】
0003780689.tif 000024
（２２）式で、Ｔefcは、フューエルカット作動時のエンジントルクであり、図１７に示すようなマップを用いて算出する。
【００６８】
フューエルカットを作動させるか否かは、例えば次のロジックで決定する。
【００６９】
Ｔwr＜１．５  Ｔwfc
のとき、フューエルカット作動（ＦＣＢ＝１）となり、
Ｔwr＞１．２  Ｔwfc
のとき、フューエルカット非作動（ＦＣＢ＝０）となる。
【００７０】
スロットル下限値演算部２５は、フューエルカット成立判断部１５３からの信号ＦＣＡと、フューエルカットオンオフ判断部１５１からの信号ＦＣＢを入力して、図１９に示す演算規則に従って、スロットル開度下限値を決定する。
【００７１】
エンジントルク下限値演算部１６９は、フューエルカット成立判断部１５３からの信号ＦＣＡが１で、かつスロットル開度下限値信号θLが零のとき、フューエルカット作動と判断し、フューエルカット作動時のエンジンマップを参照してエンジントルクを求める。
他の場合は、フューエルカット非作動時のエンジンマップを参照してエンジントルクを求める。
他の構成要素の動作については、第１の実施の形態の構成要素と同様であるので省略する。
【００７２】
図２０，図２１に、本実施の形態に係る制駆動力制御装置の効果を比較して示すための計算機シミュレーション結果を示す。
シミュレーションは、時速約８０ｋｍ／ｈで下り坂を走行中に、勾配が両図に示すように変化したときを想定した。図２０に示す結果は、フューエルカットサージに関する対策を施さない（スロットル開度の下限値を零とし、エンジントルク下限値演算部で、フューエルカット非作動時のエンジンマップを参照した）場合であり、図２０に示す結果は、本実施の形態を適用した場合である。
【００７３】
上記の結果から、図１は、車速が指令値と一致するためのスロットル開度が零近傍となるところでフューエルカットによるスロットルとブレーキのハンチングが発生しており、乗り心地が悪化していることがわかる。また、フューエルカット作動時のエンジンマップを参照していないため、駆動軸トルクＴwと指令値Ｔwrの誤差が比較的大きい。
【００７４】
一方、図２では、フューエルカットが作動する条件を判断し、スロットル開度に下限値を設定しているのでフューエルカットが作動しない。また、駆動軸トルク指令値がさらに負の方向に大きくなると、スロットル開度下限値を零とし、フューエルカットを作動させ、フューエルカットによって生ずるトルク段差をキャンセルするためにブレーキ液庄が変化している。この結果、ハンチングが防止され、かつ、駆動軸トルクＴwは指令値Ｔwrに一致している。
【図面の簡単な説明】
【図１】本発明の第１の実施の形態に係る制駆動力制御装置の機能要素の構成を説明するためのブロック図である。
【図２】本発明の第１と第２の実施の形態に係る制駆動力制御装置の駆動軸トルク制御系の詳細図である。
【図３】本発明の第１の実施の形態に係る制駆動力制御装置における車速制御系の機能要素の構成を説明するためのブロック図である。
【図４】本発明の第１の実施の形態に係る制駆動力制御装置における制駆動系の機能要素を説明するためのブロック図である。
【図５】エンジントルク指令値Ｔerとエンジン回転数Ｎeとから、スロットル開度指令値θlを求めるためのエンジンマップである。
【図６】エンジン回転数とスロットル開度下限値θLとから、エンジントルクＴelimを求めるためのテーブルマップである。
【図７】本発明の第１の本実施の形態に係る制駆動力制御装置のスロットル開度の下限値が零の場合の駆動軸トルク制御の効果を示すための計算機シミュレーション結果である。
【図８】本発明の第１の実施の形態に係る制駆動力制御装置のスロットル開度の下限値が零ではない場合の駆動軸トルク制御の効果を示すための計算機シミュレーション結果である。
【図９】本発明の第１の実施の形態に係る制駆動力制御装置の駆動軸トルク制御の低速走行時の効果を示すために車速指令値を１０ｋｍ／ｈ、時刻２０〜３０（ｓ）の間に勾配６％の上り坂を走行する場面を想定し、かつスロットル開度下限値を零とした場合の計算機シミュレーション結果である。
【図１０】本発明の第１の実施の形態に係る制駆動力制御装置の駆動軸トルク制御の低速走行時の効果を示すために車速指令値を１０ｋｍ／ｈ、時刻２０〜３０（ｓ）の間に勾配６％の上り坂を走行する場面を想定し、かつスロットル開度下限値を２（ｄｅｇ）とした場合の計算機シミュレーション結果である。
【図１１】本発明の第２の実施の形態に係る制駆動力制御装置の機能要素の構成を説明するためのブロック図である。
【図１２】本発明の第２の実施の形態に係る制駆動力制御装置における車間距離制御系の機能要素の構成を説明するためのブロック図である。
【図１３】本発明の第２の実施の形態に係る制駆動力制御装置においてスロットル開度下限値を従来通りに零に固定した場合の効果を示した計算機シミュレーション結果である。
【図１４】本発明の第２の実施の形態に係る制駆動力制御装置の効果を示した計算機シミュレーション結果である。
【図１５】本発明の第３の実施の形態に係る制駆動力制御装置の機能要素の構成を説明するためのブロック図である。
【図１６】本発明の第３の実施の形態に係る制駆動力制御装置の駆動軸トルク制御系の詳細図である。
【図１７】本発明の第３の実施の形態に係る制駆動力制御装置のフューエルカット作動時と非作動時のそれぞれについて、エンジントルクを求めるためのテーブルマップである。
【図１８】本発明の第３の実施の形態に係る制駆動力制御装置のフューエルカット作動時と非作動時のそれぞれに対応してエンジントルクを求めるテーブルマップを切り替えるための切り替え部である。
【図１９】本発明の第３の実施の形態に係る制駆動力制御装置において、フューエルカット成立判断部１５３からの信号ＦＣＡと、フューエルカットオンオフ判断部１５１からの信号ＦＣＢとからスロットル開度下限値を決定するための演算規則を示す図である。
【図２０】本発明の第３の実施の形態に係る制駆動力制御装置において従来通りにフューエルカットサージに関する対策を施さない場合の効果示した計算機シミュレーション結果である。
【図２１】図２１は、本発明の第３の実施の形態に係る制駆動力制御装置の効果を示した計算機シミュレーション結果である。
【符号の説明】
１  車速制御演算部
３  制駆動トルク制御演算部
５  スロットル開度サーボ系
７  エンジン
９  オートマチックトランスミッション
１１  デファレンシャルギヤ
１３  車体
１５  ブレーキ液圧サーボ系
１７  ブレーキ
２１  駆動軸トルク指令値演算部
２３  スロットル開度指令値演算部
２５  スロットル開度下限値演算部
２７  スロットル開度リミッタ
２９  エンジントルク下限値演算部
３１  走行抵抗推定部
１１１  車間距離指令値演算部
１１２  車間距離測定部
１１３  車間距離制御演算部
１１５  勾配推定演算部
１１７  車両停止判断部
１５１  フューエルカットオンオフ判断部
１５３  フューエルカット成立判断部
１６９  エンジントルク演算部
２１１  制駆動軸トルク補正演算部
２１３  制動力演算部
【図１】
0003780689.tif 000025
【図２】
0003780689.tif 000026
【図３】
0003780689.tif 000027
【図４】
0003780689.tif 000028
【図５】
0003780689.tif 000029
【図６】
0003780689.tif 000030
【図７】
0003780689.tif 000031
【図８】
0003780689.tif 000032
【図９】
0003780689.tif 000033
【図１０】
0003780689.tif 000034
【図１１】
0003780689.tif 000035
【図１２】
0003780689.tif 000036
【図１３】
0003780689.tif 000037
【図１４】
0003780689.tif 000038
【図１５】
0003780689.tif 000039
【図１６】
0003780689.tif 000040
【図１７】
0003780689.tif 000041
【図１８】
0003780689.tif 000042
【図１９】
0003780689.tif 000043
【図２０】
0003780689.tif 000044
【図２１】
0003780689.tif 000045